(57)【要約】【課題】ショートカットメニューを登録することなく、生体情報モニターの不慣れなユーザーであっても直感的に下位階層の情報を表示させることができる生体情報モニターの表示方法を提供すること。【解決手段】生体情報の計測結果が含まれる計測結果画面と同一画面中に、計測結果表示画面では表示されない項目を表示させるための操作ボタンとしての項目表示ボタンを複数表示し、計測結果画面に表示された複数の生体情報のうちのいずれか一つと、複数の項目表示ボタンのうちのいずれか一つとがコンビネーション操作された場合に、操作された生体情報に関する、操作された項目を表示する（換言すればアンド表示する）ようにした。【選択図】図２
2019097770.tif 000002
【特許請求の範囲】
【請求項１】
少なくとも第１及び第２の生体情報の計測結果が含まれる計測結果画面を表示する計測結果画面表示ステップと、
前記計測結果表示画面中の前記第１又は第２の生体情報の計測結果表示領域が操作された場合、前記第１又は第２の生体情報に関する前記計測結果画面では表示されない項目を、前記計測結果画面中に子画面として又は前記計測結果画面とは別画面に表示する他項目表示ステップと、
を含み、
前記計測結果画面表示ステップでは、前記計測結果画面と同一画面中に、前記計測結果画面では表示されない複数の前記項目に関する操作ボタンを表示し、
前記第１及び又は第２の生体情報の計測結果表示領域と、前記複数の前記項目の操作ボタンのうちのいずれか一つとがコンビネーション操作された場合、操作された前記第１及び又は第２の生体情報に関する、操作された前記項目を表示する、
生体情報モニターにおける表示方法。
【請求項２】
前記他項目表示ステップで表示される前記複数の項目は、前記第１及び第２の生体情報に関する、アラーム設定、アラーム履歴及びトレンドのうちのいずれか２つを含む、
請求項１に記載の生体情報モニターにおける表示方法。
【請求項３】
少なくとも第１及び第２の生体情報を計測する計測処理部と、
前記計測処理部によって得られた計測結果を表示する表示部と、
前記表示部の表示を制御する表示制御部と、
を有し、
前記表示制御部は、
少なくとも第１及び第２の生体情報の計測結果が含まれる計測結果画面を前記表示部に表示させると共に、前記計測結果表示画面中の前記第１又は第２の生体情報の計測結果表示領域が操作された場合、前記第１又は第２の生体情報に関する前記計測結果画面では表示されない項目を、前記計測結果画面中に子画面として又は前記計測結果画面とは別画面に表示させ、
さらに、前記計測結果画面と同一画面中に、前記計測結果画面では表示されない複数の前記項目に関する操作ボタンを表示させ、
前記第１及び又は第２の生体情報の計測結果表示領域と、前記複数の前記項目の操作ボタンのうちのいずれか一つとがコンビネーション操作された場合、操作された前記第１及び又は第２の生体情報に関する、操作された前記項目を表示させる、
生体情報モニター。
【請求項４】
生体情報モニターの表示プログラムを格納し、コンピュータにより読み取り可能な記録媒体であって、
前記表示プログラムは、
前記生体情報モニターの表示部に、少なくとも第１及び第２の生体情報の計測結果が含まれる計測結果画面を表示する計測結果画面表示ステップと、
前記計測結果表示画面中の前記第１又は第２の生体情報の計測結果表示領域が操作された場合、前記第１又は第２の生体情報に関する前記計測結果画面では表示されない項目を、前記計測結果画面中に子画面として又は前記計測結果画面とは別画面に表示する他項目表示ステップと、
を含み、
前記計測結果画面表示ステップでは、前記計測結果画面と同一画面中に、前記計測結果画面では表示されない複数の前記項目に関する操作ボタンを表示し、
前記第１及び又は第２の生体情報の計測結果表示領域と、前記複数の前記項目の操作ボタンのうちのいずれか一つとがコンビネーション操作された場合、操作された前記第１及び又は第２の生体情報に関する、操作された前記項目を表示する、
記録媒体。
【発明の詳細な説明】
【技術分野】
【０００１】
本発明は、生体情報モニターにおける表示方法、及び、生体情報モニターに関する。
【背景技術】
【０００２】
生体情報モニターは、生体情報（例えば、心電図、血圧及び酸素飽和度など）の計測値及び波形を、表示部に一括表示することができる。生体情報モニターの例としては、病室などのベッドサイドに設置して使用されるベッドサイドモニター及びナースステーションなどに設置して使用されるセントラルモニターなどがある。
【０００３】
生体情報モニターでは、現在計測されている複数の生体情報の計測値や波形以外にも、計測履歴やトレンドグラフ、さらには設定画面などを表示することが可能となっている。この計測履歴やトレンドグラフ、さらには設定画面などは、医療従事者であるユーザーがそれらの項目を示す操作ボタンを操作することで表示させることができる。
【０００４】
このように、生体情報モニターにおいては、限られたサイズの表示部に非常に多くの項目の画面を表示させるために、画面を多層化し、医療従事者であるユーザーによる操作によって画面を切り換えることで、上位階層から下位階層の項目の画面を順次表示できるようになっている。詳細な項目になるほど深い階層に置かれる。ここで、ユーザーが深い階層にある目的の項目の画面に到達するためには、ユーザーはその項目までの画面遷移の道筋を把握していなければならない。このことが、特に生体情報モニターの操作に不慣れな医療従事者が生体情報モニターを操作する際の大きな障害となっている。
【０００５】
ここで従来、少ない操作回数で深い階層の項目に到達するための技術として、ショートカットメニューを登録する階層型メニュー表示装置がある（例えば特許文献１、２参照）。この種の階層型メニュー表示装置では、ユーザー自身が良く使うメニュー（項目）を登録することでショートカットメニューを作成し、これによりユーザー自身が良く使うメニュー（項目）に少ない操作回数で容易に到達することができるようになっている。
【先行技術文献】
【特許文献】
【０００６】
【特許文献１】特開２００６−９９８０３号公報
【特許文献２】特開２００８−３０４９８４号公報
【発明の概要】
【発明が解決しようとする課題】
【０００７】
しかしながら、特許文献１、２に記載されたような階層型のメニュー表示は、主に個人ユーザーに快適な階層型のメニューを作成する技術であり、生体情報モニターのように多数のユーザーが利用するような機器を対象としたものではない。つまり、ショートカットメニューは、ある特定のユーザーが良く使うメニュー（項目）を登録するものであり、ある特定のユーザーにとっては便利であるが、他のユーザーにとって便利であるとは限らない。
【０００８】
本発明は、以上の点を考慮してなされたものであり、ショートカットメニューを登録することなく、生体情報モニターの不慣れなユーザーであっても直感的に下位階層の情報を表示させることができる生体情報モニターの表示方法、及び、生体情報モニターを提供する。
【課題を解決するための手段】
【０００９】
本発明の生体情報モニターにおける表示方法の一つの態様は、
少なくとも第１及び第２の生体情報の計測結果が含まれる計測結果画面を表示する計測結果画面表示ステップと、
前記計測結果表示画面中の前記第１又は第２の生体情報の計測結果表示領域が操作された場合、前記第１又は第２の生体情報に関する前記計測結果画面では表示されない項目を、前記計測結果画面中に子画面として又は前記計測結果画面とは別画面に表示する他項目表示ステップと、
を含み、
前記計測結果画面表示ステップでは、前記計測結果画面と同一画面中に、前記計測結果画面では表示されない複数の前記項目に関する操作ボタンを表示し、
前記第１及び又は第２の生体情報の計測結果表示領域と、前記複数の前記項目の操作ボタンのうちのいずれか一つとがコンビネーション操作された場合、操作された前記第１及び又は第２の生体情報に関する、操作された前記項目を表示する。
【００１０】
本発明の生体情報モニターの一つの態様は、
少なくとも第１及び第２の生体情報を計測する計測処理部と、
前記計測処理部によって得られた計測結果を表示する表示部と、
前記表示部の表示を制御する表示制御部と、
を有し、
前記表示制御部は、
少なくとも第１及び第２の生体情報の計測結果が含まれる計測結果画面を前記表示部に表示させると共に、前記計測結果表示画面中の前記第１又は第２の生体情報の計測結果表示領域が操作された場合、前記第１又は第２の生体情報に関する前記計測結果画面では表示されない項目を、前記計測結果画面中に子画面として又は前記計測結果画面とは別画面に表示させ、
さらに、前記計測結果画面と同一画面中に、前記計測結果画面では表示されない複数の前記項目に関する操作ボタンを表示させ、
前記第１及び又は第２の生体情報の計測結果表示領域と、前記複数の前記項目の操作ボタンのうちのいずれか一つとがコンビネーション操作された場合、操作された前記第１及び又は第２の生体情報に関する、操作された前記項目を表示させる、
生体情報モニター。
【発明の効果】
【００１１】
本発明によれば、ショートカットメニューを登録することなく、生体情報モニターの不慣れなユーザーであっても直感的に下位階層の情報を表示させることができる生体情報モニターの表示方法、及び、生体情報モニターを実現できる。
【図面の簡単な説明】
【００１２】
【図１】実施の形態の生体情報モニターの全体構成を示すブロック図
【図２】生体情報の計測中に表示部に表示される計測結果画面を示す図
【図３】同時タッチ操作により表示される子画面の例を示す図
【図４】心拍数の領域のみをタッチ操作した場合に表示される心拍数のアラーム設定用画面を示す図
【図５】アラーム履歴の領域のみをタッチ操作した場合に表示されるアラーム履歴画面を示す図
【図６】ＣＯ２の計測値の領域と、トレンドボタンとが同時にタッチ操作された場合に表示される画面を示す図
【図７】トレンドボタンのみをタッチ操作した場合の表示例を示す図
【図８】スケールやパラメータ（生体情報）を選択するためのボタンを含む子画面の表示例を示す図
【図９】トレンドグラフを表示させるパラメータ（生体情報）を選択するための子画面の表示例を示す図
【発明を実施するための形態】
【００１３】
以下、本発明の実施の形態について、図面を参照して詳細に説明する。
【００１４】
＜１＞生体情報モニターの全体構成
図１は、本実施の形態の生体情報モニター１００の全体構成を示すブロック図である。  生体情報モニター１００は、コネクタ部１１０を介して、心電図を検出するための心電電極１１１、血圧を検出するための血圧測定用カフ１１２、体温を検出するための体温センサ１１３、ＳｐＯ２を検出するためのＳｐＯ２センサ１１４、及び心拍出量を検出するための心拍出量センサ１１５などの生体情報検出部が接続されている。コネクタ部１１０は、生体情報検出部と計測処理部１０４との間のインタフェースとして機能する。
【００１５】
計測処理部１０４は、記憶部１０５に記憶されたプログラムを実行することで、所定の計測処理を実行する。この計測処理によって、計測処理部１０４は、コネクタ部１１０に接続された生体情報検出部（心電電極１１１、血圧測定用カフ１１２、体温センサ１１３、ＳｐＯ２センサ１１４及び心拍出量センサ１１５）を用いて患者の生体情報を計測する。なお、上記生体情報検出部を用いた各種生体情報の計測方法については従来周知のものを適用可能であるため、ここではその詳細な説明を省略する。また、計測処理部１０４は、過去に計測した生体情報を記憶部１０５に記憶させる動作、及び、記憶部１０５に記憶されている生体情報を読み出す動作を行うことができるようになっている。
【００１６】
また、計測処理部１０４によって得られた生体情報は、表示制御部１０２を介して表示部１０１に計測値又は波形の形式で表示される。さらに、計測処理部１０４は、計測した生体情報のアラーム判定を行い、判定の結果に応じてアラームインジケータ１０６を制御する。
【００１７】
表示部１０１は、例えばタッチパネル付き液晶表示器であり、生体情報を表示する表示機能を有するだけでなく、ユーザーによる入力操作を受け付ける入力部としての機能も有する。具体的には、ユーザーによる表示部１０１のタッチ操作によって、表示制御部１０２による表示部１０１の表示や計測処理部１０４の処理が変更される。
【００１８】
＜２＞実施の形態による表示
次に、本実施の形態による生体情報モニター１００の表示について説明する。
【００１９】
図２は、生体情報の計測中に表示部１０１に表示される計測結果画面の例を示す。計測結果画面には、計測波形表示領域ＡＲ１、計測値表示領域ＡＲ２、及び、操作ボタン表示領域ＡＲ１０が含まれる。
【００２０】
計測波形表示領域ＡＲ１には、心電波形、ＳｐＯ２波形、呼吸気中の炭酸ガス濃度（ＣＯ２）波形などが表示される。計測値表示領域ＡＲ２には、心拍数（ＨＲ）、ＳｐＯ２の値、呼吸気中の炭酸ガス濃度（ＣＯ２）の値、非観血血圧（ＮＩＢＰ）の値、血圧反応性指数（ＢＰＩ）の値、呼吸数などが表示される。
【００２１】
操作ボタン表示領域ＡＲ１０には、「ホーム」、「メニュー」、「アラーム設定（一覧）」、「アラーム履歴」、「ＮＩＢＰリスト」、「リコール」、「リスト」、「トレンド」などのような表示画面を切り換えるための画面切換ボタンや、「アラーム音中断」、「入退床」、「ゼロバランス」、「ＮＩＢＰスタート／ストップ」、「ＮＩＢＰ測定間隔」、「ＮＩＢＰ連続測定」、「記録スタート／ストップ」、「キーロック」、「夜間モード」などのような生体情報モニター１００の装置設定を行うための設定ボタンなどが表示される。
【００２２】
このように操作ボタン表示領域ＡＲ１０には、現在計測されている生体情報の計測結果画面（図２）では表示されない複数の項目に関する複数の操作ボタン、つまり「ホーム」、「メニュー」、「アラーム設定（一覧）」、「アラーム履歴」、「ＮＩＢＰリスト」、「リコール」、「リスト」、「トレンド」などのような操作ボタンが表示される。因みに、「リコール」のボタンは、アラームが出力されたときの波形（一般に「リコール波形」と呼ばれる）を呼び出すためのボタンである。
【００２３】
ここで、本実施の形態の生体情報モニター１００は、ユーザーにより計測値表示領域ＡＲ２の中のいずれかの領域と、操作ボタン表示領域ＡＲ１０の中のいずれかの領域とが同時にタッチ操作されると、それらの領域に対応した画面が表示される。
【００２４】
例えば、図２の太線で示すように、心拍数の領域と、アラーム履歴の領域とが同時にタッチ操作されたとする。すると、生体情報モニター１００の表示部１０１には、図３に示したように、心拍数に関するアラーム履歴が子画面２０１として表示される。
【００２５】
因みに、心拍数の領域のみをタッチ操作した場合には、図４に示したように、心拍数のアラーム設定用の子画面２０２が表示される。また、アラーム履歴の領域のみをタッチ操作した場合には、図５に示したように、計測された全ての生体情報に関するアラーム履歴が含まれる子画面２０３が表示される。
【００２６】
ここで、順次画面を切り換えながら、図３に示したような心拍数に関連したアラーム履歴を表示させるためには、例えば以下のような操作手順を行うことが考えられる。すなわち、ユーザーは、先ず図２の「アラーム履歴」のボタンをタッチ操作する。すると、表示部には、図５に示したような子画面２０３が表示される。次に、ユーザーは、図５の子画面中の「設定」のボタンをタッチ操作する。すると、表示部には、どの生体情報（パラメータ）のアラーム履歴を表示させるかを選択するための画面（図示せず）が表示されるので、ユーザーは心拍数を選択する。その結果、図３に示したような、心拍数に関連したアラーム履歴を表示させることができる。
【００２７】
しかしながら、このような操作手順を行うためには、ユーザーは複数回のボタン操作を順次行わなければならず、またユーザーはどのボタンを操作すれば次にどのボタンが表示されるかといったことを把握している必要があり、その生体情報モニターに不慣れなユーザーにとっては操作手順に慣れるまでは操作を迅速に行うことが困難であり、迅速な医療行為の障害になるおそれもある。
【００２８】
これに対して、本実施の形態の生体情報モニター１００においては、ユーザーが、計測結果表示画面（図２）に表示された複数の生体情報の計測結果の中のいずれか一つと、表示させたい項目と、を同時にタッチするだけで、所望の生体情報に関する所望の項目（実施の形態の場合には、心拍数のアラーム履歴）を即座に表示させることができるので、生体情報モニターに不慣れなユーザーでも直感的に所望の下位階層の画像を表示させることができるようになる。
【００２９】
次に、本実施の形態の生体情報モニター１００の別の操作例について説明する。
【００３０】
図６は、図２における、ＣＯ２の計測値の領域と、「トレンド」のボタンとが同時にタッチ操作された場合の表示例である。この場合、表示部１０１には、ＣＯ２に関するトレンドグラフが子画面３０１として表示される。
【００３１】
因みに、図２の「トレンド」のボタンのみをタッチ操作した場合には、図７に示したような子画面３０２が表示される。この子画面３０２には、最初に、予め設定された生体情報に関するトレンドグラフが表示される。図７の例では、心拍数（ＨＲ）とＳｐＯ２のトレンドグラフが表示されている。このように、「トレンド」のボタンをタッチ操作したときに現れる子画面の初期画面は、予めユーザーによって初期設定されたものである。
【００３２】
このような初期画面からユーザーが見たい生体情報（例えばＣＯ２）のトレンドグラフ（図６）を表示させるためにはさらなる操作が必要である。例えばユーザーが図８の太線で囲まれた領域をタッチ操作すると、図８に示したような、スケールやパラメータ（生体情報）を選択するためのボタンを含む子画面３０３が表示される。次にユーザーが図９の太線で囲まれたパラメータ（生体情報）を選択するためのボタンをタッチ操作すると、選択可能なパラメータ（生体情報）の一覧を含む子画面３０４が表示され、ユーザーはその中からトレンドグラフを表示させたいパラメータ（生体情報）を選択する。例えばユーザーがＣＯ２のパラメータ（生体情報）を選択すると、ＣＯ２のトレンドグラフが表示される。
【００３３】
このように、生体情報モニター１００では、図７→図８→図９の操作手順で図６に示したようなＣＯ２のトレンドグラフを表示させることもできるが、図２の表示画面において、ＣＯ２の計測値の領域と「トレンド」のボタンとを同時にタッチ操作して図６に示したようなＣＯ２のトレンドグラフを表示させることもでき、この方がＣＯ２のトレンドグラフを即座に表示させることができ、生体情報モニターの操作に不慣れなユーザーでも直感的に一発で下位階層の情報を表示させることができる。
【００３４】
以上説明したように、本実施の形態によれば、図２に示したように、生体情報の計測結果が含まれる計測結果画面と同一画面中に、計測結果表示画面では表示されない項目を表示させるための操作ボタンとしての項目表示ボタン（「アラーム設定（一覧）」、「アラーム履歴」、「トレンド」など）を表示し、計測結果画面に表示された複数の生体情報のうちのいずれか一つと、複数の項目表示ボタンのうちのいずれか一つとが同時に操作された場合に、操作された生体情報に関する、操作された項目を表示する（換言すればアンド表示する）ようにしたことにより、ショートカットメニューを登録することなく、生体情報モニターの操作に不慣れなユーザーであっても直感的に下位階層の情報を表示させることができるようになる。
【００３５】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【００３６】
上述の実施の形態では、生体情報の計測結果表示領域と、ある項目の操作ボタンとが同時に操作された場合、操作された生体情報に関する、操作された項目を、計測結果画面と同一画面上の子画面２０１、３０１に表示した場合について述べたが（図３、図６参照）、本発明はこれに限らず、操作された生体情報に関する、操作された項目を、計測結果画面とは別画面に表示してもよい。
【００３７】
また上述の実施の形態では、複数の生体情報の計測結果表示領域のいずれか一つの領域（例えば心拍数）と、計測結果画面とは同一画面中には表示されない複数の項目のいずれか一つの領域（例えばアラーム履歴）と、が同時に操作された場合に、操作された生体情報に関する、操作された項目を表示する（例えば心拍数に関するアラーム履歴を表示する）場合について述べたが、本発明は同時操作に限らず、複数の生体情報の計測結果表示領域のいずれか一つの領域（例えば心拍数）と、計測結果画面とは同一画面中には表示されない複数の項目のいずれか一つの領域（例えばアラーム履歴）とが所定のコンビネーションでコンビネーション操作された場合に、操作された生体情報に関する、操作された項目を表示する（例えば心拍数に関するアラーム履歴を表示する）ようにしてもよい。
【００３８】
例えば、心拍数の領域がタッチ操作されてから所定時間以内（例えば３秒以内）にアラーム履歴の領域がタッチ操作された場合に、操作された生体情報に関する、操作された項目を表示する（例えば心拍数に関するアラーム履歴を表示する）ようにしてもよい。つまり、所定の基準を満たすコンビネーション操作が行われた場合に、操作された生体情報に関する、操作された項目を表示するようにすればよい。
【００３９】
また上述の実施の形態では、複数の生体情報の計測結果表示領域のいずれか一つの領域（例えば心拍数）と、計測結果画面とは同一画面中には表示されない複数の項目のいずれか一つの領域（例えばアラーム履歴）と、が操作された場合に、操作された生体情報に関する、操作された項目を表示する（例えば心拍数に関するアラーム履歴を表示する）場合について述べたが、本発明はこれに限らず、複数の生体情報の計測結果表示領域のいずれか２つ以上の領域（例えば心拍数、ＣＯ２）と、計測結果画面とは同一画面中には表示されない複数の項目のいずれか一つの領域（例えばアラーム履歴）と、が操作された場合には、操作された２つ以上の生体情報に関する、操作された項目を表示する（例えば心拍数、ＣＯ２に関するアラーム履歴を表示する）ようにしてもよい。
【００４０】
要は、本発明の生体情報モニターにおける表示方法は、少なくとも第１及び第２の生体情報の計測結果が含まれる計測結果画面を表示する計測結果画面表示ステップと、前記計測結果表示画面中の前記第１又は第２の生体情報の計測結果表示領域が操作された場合、前記第１又は第２の生体情報に関する前記計測結果画面では表示されない項目を、前記計測結果画面中に子画面として又は前記計測結果画面とは別画面に表示する他項目表示ステップと、を含み、前記計測結果画面表示ステップでは、前記計測結果画面と同一画面中に、前記計測結果画面では表示されない複数の前記項目に関する操作ボタンを表示し、前記第１及び又は第２の生体情報の計測結果表示領域と、前記複数の前記項目の操作ボタンのうちのいずれか一つとがコンビネーション操作された場合、操作された前記第１及び又は第２の生体情報に関する、操作された前記項目を表示すればよい。
【００４１】
本発明による生体情報モニターにおける表示方法は、表示制御部１０２がプログラムを実行することによっても実現することが可能である。例えば、本発明による表示方法を実現するためのプログラムを、メモリ、ディスク、テープ、ＣＤ、ＤＶＤ等のコンピュータが読み取り可能な記録媒体に記録しておき、表示制御部１０２がこのプログラムを読み出すことにより、上述の実施の形態の各処理を実行するようにしてもよい。
【産業上の利用可能性】
【００４２】
本発明は、例えばタッチパネル表示器を有する生体情報モニターにおける表示方法、及び、生体情報モニターに好適である。
【符号の説明】
【００４３】
１００  生体情報モニター
１０１  表示部
１０２  表示制御部
１０３、１０５  記憶部
１０４  計測処理部
【図１】
2019097770.tif 000003
【図２】
2019097770.tif 000004
【図３】
2019097770.tif 000005
【図４】
2019097770.tif 000006
【図５】
2019097770.tif 000007
【図６】
2019097770.tif 000008
【図７】
2019097770.tif 000009
【図８】
2019097770.tif 000010
【図９】
2019097770.tif 000011